(57)【要約】【課題】  紙やプラスチック類の廃棄物を圧縮変形させて減容し、梱包する装置を低コストでコンパクトに構成する。【解決手段】  廃棄物を圧縮変形させて減容するスクリュプレス装置と、減容された廃棄物を定量づつ梱包する梱包手段と、これらを制御する制御手段を有し、梱包手段は押し出し口部に取り付けた収納袋に、押し出し口部からの押圧力を利用して詰め込めるように収納袋を構成し、収納袋を自動的に揺動させ、収納袋内の片寄り等を修正し、満杯になると押し出しを停止する。また収納袋は、袋の上部の側面に廃棄物受け入れ口を設け、連続して押し出された廃棄物が自重で下方に落下して分離し収納されるように構成した。【選択図】      図１
2005335776.tif 000002
【特許請求の範囲】
【請求項１】
廃棄物を螺旋体の回転により圧縮変形させて減容するスクリュプレス装置と、このスクリュプレス装置により減容した廃棄物を梱包する梱包手段と、これらを制御する制御手段とを有する減容梱包装置において、前記梱包手段は、圧縮減容されて押し出された廃棄物を押し出し口部に取付けた収納袋にスクリュプレス装置からの押し出し力を作用させて袋内の圧縮廃棄物の復元力を制御させながら充填させることを特徴とする廃棄物減容梱包装置。
【請求項２】
請求項１記載の廃棄物減容梱包装置において、廃棄物が充填されて収納袋が一定の大きさに膨らむと感知するセンサーを設けて、センサーが感知すると収納袋を振動させ内部の廃棄物の片寄りを修正し、収納袋が満杯に達するとセンサーが感知し減容廃棄物の押し出しを停止させる制御装置を設けたことを特徴とする廃棄物減容梱包装置。
【請求項３】
廃棄物を収納する収納袋は、受け入れ口がファスナーで開閉可能で、且つファスナーは収納袋の断面外周の半分以上にわたって設けられて、ファスナー開閉具は収納袋を廃棄物押出し口部に取付けるためのフック固定用部材を設けてあり、収納袋の上部の側面に受け入れ口が設けられた請求項１記載または請求項２記載の廃棄物減容梱包装置。
【請求項４】
廃棄物を圧縮変形させるスクリュプレス装置のスクリュは水平方向に回転軸を有し、廃棄物を収納する収納袋は、受け入れ口が巾着口状に紐で締めて閉じるように構成され、受け入れ口は収納袋の上部の側面に設けられた請求項１または請求項２に記載の廃棄物減容梱包装置。
【発明の詳細な説明】
【技術分野】
【０００１】
本発明は、紙やプラスチック等の廃棄物をスクリュプレス装置により減容し、梱包袋に袋詰めする減容梱包装置に関する。
【背景技術】
【０００２】
廃棄物を減容装置で圧縮変形させて減容した減容成形物は、搬送途中において成形が崩れたり、一体化しきれなかった一部分がこぼれたり、廃棄物からの悪臭等これらを防止するため、廃棄物減容成形物は、袋詰めすることが有効である。このような廃棄物等を減容して袋詰めする装置として特開２０００−２７２６１４号公報に開示された廃プラスチック容器梱包装置が公知である。
【特許文献１】特開２０００−２７２６１４号公報
【発明の開示】
【発明が解決しようとする課題】
【０００３】
前記従来技術における減容方法は、往復移動する圧縮装置により廃棄物を梱包単位ごとに圧縮変形させ、袋詰め位置に搬送し梱包するものであり、装置が複雑で大きくなると共に、廃棄物の圧縮部は堅牢な部材で構成する必要があり、製造コストが嵩む不都合を招くようになる。これに対し螺旋体の回転により圧縮変形させて減容するスクリュプレス方式は、構造が簡単でコンパクトに構成することができる。しかしながら、減容成形物は減容装置から連続的に押し出されるが、これを梱包するには梱包単位ごとに効率よく袋詰めする必要があり、限られた人数で連続的に作業を行うには問題があった。また、収納袋は、廃棄物の収納が簡単で、収納後の取扱いも容易である必要がある。
【課題を解決するための手段】
【０００４】
上記課題を解決するために請求項１に記載の発明は、廃棄物を螺旋体の回転により圧縮変形させて減容するスクリュプレス装置と、このスクリュプレス装置により減容した廃棄物を梱包する梱包手段と、これらを制御する制御手段とを有する減容梱包装置において、前記梱包手段は、圧縮減容されて押し出された廃棄物を押し出し口部に取付けた収納袋にスクリュプレス装置からの押し出し力を作用させて袋内の圧縮廃棄物の復元力を制御させながら充填させる。
【０００５】
上記課題を解決するために請求項２に記載の発明は、前記請求項１に記載の廃棄物減容梱包装置において、廃棄物が充填されて収納袋が一定の大きさに膨らむと感知するセンサーを設けて、センサーが感知すると収納袋を振動させ内部の廃棄物の片寄りを修正し、収納袋が満杯に達するとセンサーが感知し減容廃棄物の押し出しを停止させる制御装置を設けた。
【０００６】
上記課題を解決するために請求項３に記載の発明は、前記請求項１または請求項２に記載の廃棄物減容梱包装置において、廃棄物を収納する収納袋は、受け入れ口がファスナーで開閉可能で、且つファスナーは収納袋の断面外周の半分以上にわたって設けられて、ファスナー開閉具は収納袋を廃棄物押出し口部に取付けるためのフック固定用部材を設けてあり、収納袋の上部の側面に受け入れ口を設けた。
【０００７】
上記課題を解決するために請求項４に記載の発明は、前記請求項１または請求項２に記載の廃棄物減容梱包装置において、廃棄物を圧縮変形させるスクリュプレス装置のスクリュは水平方向に回転軸を有し、廃棄物を収納する収納袋は、受け入れ口が巾着口状に紐で締めて閉じるように構成され、受け入れ口は収納袋の上部の側面に取付け可能に構成した。
【発明の効果】
【０００８】
以上のような構成にすることにより、スクリュプレス装置で減容されて押し出された廃棄物は、収納袋に後から押し出される廃棄物により加圧されて収納されることにより圧縮減容された廃棄物の復元を防止し袋に効率よく収納でき、さらに収納袋を振動させることにより収納袋の中の片寄り等を修正し、収納率をさらに良くすることができる。また、収納袋内が満杯となると、自動で減容廃棄物の押し出しを一旦停止させるように構成されていて、収納袋への詰め過ぎや収納袋からの溢れが防止でき、作業者は収納袋側を気にせず、または、収納袋側に専任の作業者を必ずしも配置することなく、廃棄物減容梱包作業が行える。
【０００９】
また、収納袋の廃棄物受け入れ口がファスナーで開閉可能で、且つファスナーを袋の断面外周の半分以上にわたつて設けたことで、収納された廃棄物を投棄場所へ収納袋と分離して投棄する場合等に、ファスナー部を大きく開放でき収納された廃棄物と収納袋を簡単に分離ることができる。さらにファスナーの開閉具に袋を取り付けるためのフック用固定部材を設けたことにより、袋内を加圧しても受け入れ口が開くことがなく作業が行える。
【００１０】
また、収納袋の受け入れ口を巾着状に紐で締める構造とした場合、袋を取り付けるフックに紐を掛けることで袋内を加圧しても受け入れ口が締まる方向に働き、受け入れ口が開くことがなく作業が行え、閉める場合も簡単に行える。
【００１１】
また、袋の上部側面に受け入れ口を設けてあるため、減容圧縮されて一体化し押し出された廃棄物は、自重により適宜分離し下方に落下し収納される。
【発明を実施するための最良の形態】
【００１２】
以下、本発明の実施形態を図面に基づいて説明する。図１は本発明を実施した廃棄物減容梱包装置の全体を説明する側面図、図２は廃棄物減容部の正面断面図、図３は減容廃棄物のファスナー開閉口付収納袋の斜視図、図４は減容廃棄物の開閉口が巾着状の収納袋の斜視図、図５は廃棄物減容梱包装置の別実施例を示した全体側面図、図６は廃棄物減容梱包装置の制御フロー図を示したものである。
【００１３】
図１，２において、機枠１に廃棄物を螺旋体の回転により圧縮変形させて減容するスクリュプレス装置２９を載設し、これにより減容されて押し出された廃棄物を梱包する梱包装置３０を併設し、これらを制御する制御手段を操作盤１０内に設けて装置は構成されている。
【００１４】
ホッパ２の上部に開口した投入口２ａより紙やプラスチック等の廃棄物を投入すると、粗砕ロータ３により粗破砕され下方のスクリュ７部に投下される。粗砕モータ４の動力は、ロータ減速機５により減速されて粗砕ロータ３を駆動する。粗砕ロータ３は、粗砕カッター３ａを軸方向に複数枚併設した軸を水平方向に１対設け、粗砕カッター３ａで廃棄物を粗破砕するとともに下方へ送り込むように、それぞれ矢印ａ，ｂ方向へ回転されている。
【００１５】
粗破砕されてスクリュ７部に投下された廃棄物は、スクリュ７を回転させることにより、スクリュの一方端に送られ加圧される。スクリュ７の搬送終端側には、搬送された廃棄物が通過する通過断面積を変化させて、通過する廃棄物を加圧成形する加圧成形部１６が設けてあり、加圧成形部入口に設けた予圧シャッタ１５は、圧縮始めの減容廃棄物Ａをケーシング６の通路に一時的に圧着させて廃棄物の初期通過抵抗を与えるためのもので、所定の圧力に達したらシャッタシリンダ１１で予圧シャッタ１５は上方に引き上げられ、廃棄物Ａは加圧成形部１６へ押し出される。シャッタの開閉状態は、開シャッタセンサー３０ｈと閉シャッタセンサー３０ｊにより制御部へ信号が送られる。
【００１６】
加圧成形部１６は、上下に分割された成形板の一方の入口側に回動支点を設け、出口側をプレスシリンダ１２により上下に回動させ圧縮された廃棄物が通過する断面積を変化させ廃棄物の加圧成形圧力を調節する。断面部の形状は、円筒形又は多角形に形成されている。
【００１７】
加圧成形部１６を通過して加圧された廃棄物は案内管１８に送られる。案内管１８には、案内管から押し出される減容廃棄物を収納する収納袋３１が取り付け可能にフック３０ｍが設けてあり、収納袋３１のフック固定用部材を掛けて収納袋３１を取り付ける。収納袋下面は揺動枠３０ａに乗せられていて、減容廃棄物が収納されて収納袋が膨らむと、角度センサー３０ｂのセンサーアーム３０ｃが収納袋に押されて角度が変化し、予め設定された角度に達すると揺動枠３０ａが水平方向に往復動し、収納袋内の廃棄物の片寄り等を是正したり空スペースを最少限にするように作用する。
【００１８】
揺動枠３０ａは、揺動モータ３０ｇとクランクアーム３０ｋで連結されていて、揺動モータ３０ｇが回転すると揺動枠３０ａがガイドローラ３０ｆに案内され水平方向に往復動する。
【００１９】
収納袋３１の案内管１８への取付口は収納袋の上部側面に設けてあり、案内管１８から減容圧縮され一体化し押し出された廃棄物は、自重により適宜分離して下方に落下し収納される。また、収納された廃棄物がある程度の量に達すると、案内管１８から押し出される廃棄物により押圧されて詰め込まれる。収納袋３１が膨らみセンサーアーム３０ｃが満杯位置角度に達すると、角度センサー３０ｂから信号が制御部へ送られ、スクリュプレス装置２９のスクリュ７の回転が止められ廃棄物の押し出しが停止される。停止後、案内管１８から収納袋３１を外し梱包が終了する。
【００２０】
図３は廃棄物収納袋の一例を示したもので、繊維質材等により直方体に縫製等により形成された収納袋の断面外周の半分以上にわたってファスナー３１ａを設け、投棄場所で収納袋と廃棄物を分離したり、収納袋を繰り返し使用する場合に、容易に収容された廃棄物を取り出し易くしている。
【００２１】
ファスナーの開閉を行うファスナー開閉具３１ｂにはフック固定用部材３０ｃが取り付けてあり、案内管１８のフックに掛けて押し出された廃棄物の押圧力が作用しても収納袋の口が開かないようになっている。
【００２２】
フック固定用袋側部材３０ｄは、収納袋３１側のフックへの固定用のリングで、収納袋の運搬移動時の把手の役割もする。また、案内管１８への取り付けは、収納袋の上部側面を取り付けるようにフック固定用袋側部材３０ｄを設けて、案内管１８から減容圧縮され一体化し押し出された廃棄物が自重により適宜分離して下方に落下し収納されるようになっている。
【００２３】
図４は廃棄物収納袋の廃棄物受け入れ口が巾着口状に構成された一例を示したもので、強度のある薄膜材で形成された収納袋３１の上部の側面に廃棄物受け入れ口を設け、廃棄物が押し出される案内管１８に差し込んで紐３２ａを引くと、廃棄物受け入れ口である巾着口状受け入れ口３２は蛇腹状に緊縮し、紐３２ａを案内管１８のフックに掛けることで押し出された廃棄物の押圧力から袋を支えることができる。
【００２４】
図５は廃棄物減容梱包装置の別実施例を示した全体側面図で、スクリュ７で加圧する加圧成形部１６は、スクリュ７の螺旋体ピッチを入口側より出口側を小さくし、入口側より出口側の搬送量を小さくすることで投入された廃棄物を圧縮減容するもので、圧縮減容された廃棄物は、スクリュ出口側に設けた収納袋３１に収納される。収納袋３１は揺動枠３０ａに載せられていて、揺動体３０ａは弾性体３０ｌの上に取り付けられて、揺動モータ３０ｇとクランクアーム３０ｋにより連結され、揺動モータ３０ｇを回転すると収納袋３１とともに揺動する。揺動することで収納袋内の廃棄物は片寄り等を是正され、デッドスペースを最少限にし収納される。
【００２５】
図６は廃棄物の減容梱包装置の制御フロー図を示したもので、操作盤１０の電源スイッチを入れると、非常停止スイッチの異常をチェックし、異常のない場合は、自動モード又は手動モードが選択できる。自動モードの場合、始動スイッチをＯＮにすると、粗砕機３とスクリュ７が回転し投入された廃棄物を減容処理する。
【００２６】
収納袋３１が収納された廃棄物により膨らみ、センサーアーム３０ｃの角度が設定値まで変化すると、角度センサー３０ｂが信号を送り、揺動モータ３０ｇを回転させ、収納袋３１が載せられた揺動枠３０ａを作動させる。収納袋３１内の片寄り等がなくなりセンサーアーム３０ｃが下がると揺動モータ３０ｇが停止する。センサーアーム３０ｃが最大値まで回動し角度センサー３０ｂが最大値を検出すると、揺動モータ３０ｇが停止するとともに袋充填ランプが点灯し、粗砕機３とスクリュ７は停止され梱包が完了する。
【図面の簡単な説明】
【００２７】
【図１】廃棄物減容梱包装置の全体を説明する側面図
【図２】廃棄物減容部の正面断面図
【図３】減容廃棄物のファスナー開閉口付収納袋の斜視図
【図４】減容廃棄物の開閉口が巾着状の収納袋の斜視図
【図５】廃棄物減容梱包装置の別実施例を示した全体側面図
【図６】廃棄物減容梱包装置の制御フロー図
【符号の説明】
【００２８】
１      機枠
２      ホッパ
２ａ    投入口
３      粗砕ロータ
３ａ    粗砕カッター
４      粗砕モータ
５      ロータ減速機
６      ケーシング
７      スクリュ
８      スクリュモータ
９      スクリュ減速機
１０    操作盤
１１    シャッタシリンダ
１２    プレスシリンダ
１５    予圧シャッタ
１６    加圧成形部
１８    案内管
２９    スクリュプレス装置
３０    梱包装置
３０ａ  揺動枠
３０ｂ  角度センサー
３０ｃ  センサーアーム
３０ｄ  フック固定用袋側部材
３０ｆ  ガイドローラ
３０ｇ  揺動モータ
３０ｈ  開シャッターセンサー
３０ｊ  閉シャッターセンサー
３０ｋ  クランクアーム
３０ｌ  弾性体
３０ｍ  フック
３１    収納袋
３１ａ  ファスナー
３１ｂ  ファスナー開閉具
３１ｃ  フック固定用部材
３１ｄ  フック固定用袋側部材
３２    巾着口状受け入れ口
３２ａ  紐
Ａ      減容廃棄物
【図１】
2005335776.tif 000003
【図２】
2005335776.tif 000004
【図３】
2005335776.tif 000005
【図４】
2005335776.tif 000006
【図５】
2005335776.tif 000007
【図６】
2005335776.tif 000008